(57)【要約】【課題】光通信ケーブル等の配線やメンテナンスを容易に行うことができると共に省スペース化を図り、尚且つ静電気放電を原因とする電子機器等の誤作動防止対策等に広く利用できる静電気放電体とこれを装備した静電気対策機器を提供する。【解決手段】ワークデスク２の外側部に収納ケース９を取り付ける。収納ケース９内には、成端箱１１、ハブボックス１２を収納する。成端箱１１から複数の光ファイバー６が出線分配し、ハブボックス１２内に光ファイバー６を束ねるハブ５を設ける。成端箱１１内の配線盤に電源ケーブルのコンセントを設ける。ワークデスク２の天板２ａをデスクプレート２ｃとメッシュカバー２ｂとの二重構造にすると共に、導電性材である銅板の周縁及び下面を絶縁体で被覆したタッチパネル１５を設け、これをハブボックス１２内のアース側端子に接地し、作業者がこのタッチパネル１５に触れることで、帯電した静電気がアースできるようにする。【選択図】　図１
2004055176.tif 000002
【特許請求の範囲】
【請求項１】
アース側端子及び誘導側端子とを有するサージ電流誘導回路、分電盤及びハブが収納された光通信ケーブルの成端箱を取付けると共に、導電性材で形成した静電気放電体を前記アース側端子に接地したことを特徴とする静電気対策機器。
【請求項２】
静電気放電体が導電性材よりなる机の天板であることを特徴とする請求項１記載の静電気対策機器。
【請求項３】
静電気放電体が導電性材よりなるマウスパッドであることを特徴とする請求項１記載の静電気対策機器。
【請求項４】
静電気放電体が導電性の短繊維よりなるブラシであることを特徴とする請求項１記載の静電気対策機器。
【請求項５】
静電気放電体がフリーアクセス上に敷設された導電性材からなるカーペットであることを特徴とする請求項１記載の静電気対策機器。
【請求項６】
静電気放電体が放電を検知する知覚手段を介してアース側端子に接続されていることを特徴とする請求項１乃至請求項５記載の静電気対策機器。
【発明の詳細な説明】
【０００１】
【発明の属する技術分野】
本発明は、光通信ケーブルの成端箱を取付けると共に、人体に帯電した静電気放電に起因する障害を除去するために使用される静電気放電体とこれを装備した各種静電気対策機器に関する。
【０００２】
【従来の技術】
近年、光通信ケーブルによる通信は、高速且つ大量のデータ送信力により、イントラネットやインターネット、ケーブルテレビや携帯電話網といった多くの通信網の中核となりつつある。とくに、コンピューターネットワークの爆発的な成長と携帯電話等の無線通信手段の急速な普及に伴い、その需要は年々高まり光通信ケーブルはいたるところで布設されるようになってきている。
【０００３】
例えば、クリーンルームやサーバールーム等においては、クライアントコンピュータとサーバーコンピュータ、若しくは精密機器とを、ハブを介して相互接続してネットワーク化することが普及している。この場合も伝送路としてノイズの少ない光通信ケーブルを使用し、クライアントとサーバー間を接続する配線システムが増えつつある。この光通信ケーブルの端部には後述する成端箱が設けられ、この成端箱及び分電盤は、通常、室内の壁面上部に各々独立して設置されている。また、光通信ケーブルが接続されたハブは、コンピュータの配置や室内環境等を考慮しつつできるだけ成端箱の近傍に配置されている。
【０００４】
【発明が解決しようとする課題】
しかしながら、クリーンルームやサーバールームにおいて、成端箱及び分電盤を壁面上部に配設する従来の方式では、光通信ケーブルの延長分岐やメンテナンスなどの工事を行う場合、作業者はその都度脚立などを用いて高所作業をしなければならないので、光通信ケーブルの延長分岐やメンテナンスなどの作業性が悪い。とくに、光通信ケーブルは曲げに弱いことから、その配線工事においては、光通信ケーブルが急に曲がらないように敷設する必要がある。このような制約条件のもと、光通信ケーブルの配線作業が更に困難になっており、総じて従来の設置方式は作業効率が良くないという問題があった。また、従来の構成では成端箱、ハブ（ハブボックス）及び分電盤が、それぞれ個別に設置されているため、広い取付スペースを必要とするという問題があった。
また、半導体デバイス等を扱うクリーンルームや精密機器を操作する環境下にあるサーバールームにおいては、作業者が帯電すると、その静電気放電によるデバイスの破損や可燃性物質への着火による火災、製品への塵埃混入、電子機器の誤作動等の不具合が発生するという問題があった。
【０００５】
本発明は、上記課題に鑑みなされたものであり、その目的は、光通信ケーブル等の配線やメンテナンスを容易に行うことができると共に省スペース化を図り、尚且つ静電気放電を原因とする電子機器等の誤作動防止対策等に広く利用できる静電気放電体とこれを装備した静電気対策機器を提供することにある。
【０００６】
【課題を解決するための手段】
上記目的を達成するため、請求項１の静電気対策機器は、アース側端子及び誘導側端子とを有するサージ電流誘導回路、分電盤及びハブが収納された光通信ケーブルの成端箱を取付けると共に、導電性材で形成した静電気放電体を前記アース側端子に接地したことを特徴とする。
【０００７】
請求項２の静電気対策機器は、請求項１記載の静電気対策機器において、静電気放電体が導電性材よりなる机の天板であることを特徴とする。
【０００８】
請求項３の静電気対策機器は、請求項１記載の静電気対策機器において、静電気放電体が導電性材よりなるマウスパッドであることを特徴とする。
【０００９】
請求項４の静電気対策機器は、請求項１記載の静電気対策機器において、静電気放電体が導電性の短繊維よりなるブラシであることを特徴とする。
【００１０】
請求項５の静電気対策機器は、請求項１記載の静電気対策機器において、静電気放電体がフリーアクセス上に敷設された導電性材からなるカーペットであることを特徴とする。
【００１１】
請求項６の静電気対策機器は、請求項１乃至請求項５記載の静電気対策機器において、静電気放電体が放電を検知する知覚手段を介してアース側端子に接続されていることを特徴とする。
【００１２】
光通信ケーブルは、主に半導体や薬品を製造するクリーンルーム、手術室、サーバールーム、ビル管理室などに布設されるが、高層マンション、学校、官庁等にも勿論適用できる。室内には、コンピュータまたはその周辺機器が配され、これらはハブを介してケーブルにより接続されている。また、室内には机（テーブルを含む）が設けられ、机の側部に収納ケースを取り付ける。収納ケースは少なくとも二区分に画成し、その一方を成端箱とし、他方をハブ等の精密機材（以下、ハブボックスという）を収納する。成端箱の内部には商用電源のコンセントを設ける。
【００１３】
上記構成では、成端箱及びハブボックスは、壁面や机の側方に配設されるので、作業者は脚立等を使用することなく、床上に居ながら収納ケースを開けて、そのまま光通信ケーブルやハブの配線作業や保守点検作業を容易に行うことができる。また、成端箱及びハブボックスは、収納ケース内にまとめて一体化されるため、ボックスの小型・コンパクト化が可能になる。成端箱に商用電源のケーブルを設けたものでは、別途、コンセントが不要になるため、その分だけ省スペース化を図ることができる。
【００１４】
さらに、光通信ケーブルと共に電力回線を布設し、ハブ（ＨＵＢ）などの周辺機器を接続するための電源回路を設け、この電力回線により電源回路に電力を供給すると共に、これと並列に電源回路をサージ電流誘導回路の誘導側端子に接続する。因みに、ここで示したサージ電流誘導回路とは、高電圧のサージ電流に対して高速に反応してアース側にサージ電流を流すものである。これにより、サージ電流が生じた場合は、電源回路に接続した周辺機器へ流れることはなく、アース側に逃げることになる。
【００１５】
【発明の実施の形態】
次に、本発明の実施の形態を図面に示す実施例に基いて説明する。本実施例は、収納ケースを左右二室に区画して、成端箱及びハブボックスを分けて収納し、この収納ケースをサーバールーム内のワークデスクの外側部に取り付けたものである。
図１は本発明に係る静電気対策機器としてのワークデスクを説明する全体構成図、図２は図１の収納ケースを説明する要部構造図、図３は本発明に係るサーバールームの一実施例を示す平面図である。
【００１６】
【実施例】
図１乃至図３に示すように、１は、ワークステーション１８を備えた半導体製造工場内のサーバールームで、サーバールーム１の天井部には空調機が設けられている。サーバールーム１の各位置にはワークデスク２が複数台設置され、ワークデスク２の脚部には防振用のストッパー付ゴムマット３が敷かれている。
【００１７】
ワークデスク２の上には耐震のためのストッパーを付けたクライアントパソコン４が配置され、クライアントパソコン４はハブ（変換ハブ）５を介して、光ファイバー６によりサーバーパソコン７に接続されている。サーバーパソコン７は、サーバールーム１の隅部またはワークデスク２の一側下方に配置されている。
サーバーパソコン７の下部はストッパー８により固定され、地震等によりサーバー７が移動しないようにされている。尚、サーバー７の上部には冷却ファンが設けられ、これには排塵ダクトが接続可能とされている。
【００１８】
右角部のワークデスク２の他側外部には、収納ケース９が固定具を介して取り付けられている。図２に示すように、収納ケース９の内部は左右二室に区画され、各室には開閉扉１３、１４が取り付けられている。収納ケース９の左室には、光通信ケーブル１０の終端部を連結する成端箱１１が収納され、成端箱１１は浸水防止のために気密構造とされている。光通信ケーブル１０は、複数本の光ファイバー６を集めたもので、複数の光ファイバー６は成端箱１１にて接続延長して出線分配されている。一方、収納ケース９の右室にはハブボックス１２が収納され、ハブボックス１２内にはハブ５が設けられている。ハブ５は複数のポートを有し、各ポートに接続された光ファイバー６を束ねる集線装置として機能している。
【００１９】
ワークデスク２の天板２ａはデスクプレート２ｃとメッシュカバー２ｂとの二重構造にされると共に、排塵ダクトに送風ファン（図示せず）を介して接続可能とされ、メッシュを通過沈降した塵埃を排塵ダクトに排出することにより机上の防塵が図られている。また、導電性材である銅板の周縁及び下面を絶縁体で被覆したタッチパネル１５をハブボックス１２内のアース側端子に接地し、作業者がこのタッチパネル１５に触れることで、作業者に帯電した静電気が除電できるようにされている。尚、このタッチパネル１５をマウスパッド１７としたり、メッシュカバー２ｂ自体を周囲に絶縁を施した金属等の電導性材で製作して直接接地するものでも良い。また、ワークデスク２のデスクプレート２ｃの下縁には導電性の短繊維よりなるブラシ１９が取付けられており、作業者がこのブラシに接触することで人体に帯電する静電気をアースして除電できるようにされている。
【００２０】
また、サーバールーム１の床面は、電子機器を設置する際に、電源からの配線や、機器相互間の接続、各種配線の布設作業を容易にするために、建物本来の床面から少し離れて、金属板に樹脂板を貼った床板を配列した所謂フリーアクセス構造とされているが、この床板と本来の床面との間で発生する静電気を除電するために、導電性材からなるカーペット２０を敷設し床板の金属部分に接地している。
【００２１】
さらに、上記タッチパネル１５、マウスパッド１７、ブラシ１９及びカーペット２０は放電を検知する知覚手段として、タイマー及びカウンター機能を付した電流計２１を介してアース側端子に接続されており、静電気放電のみの発生時刻と回数が表示記録できるようにされている。そして、電子機器等の障害の原因と推定される静電気放電をその他のノイズと識別して検知できるようにされている。尚、放電を検知する知覚手段としては発光ダイオードやブザーでもよい。また、これらの知覚手段を集中管理することで、故障等の事故に迅速に対応することができる。
【００２２】
以上のように本実施例では、成端箱１１及びハブボックス１２が、ワークデスク２の側方に配設されている。したがって、光通信ケーブル１０の配線時や保守点検時に、作業者は収納ケース９の開閉扉１３、１４を開けてそのまま簡単に作業を行うことができ、従来の高所作業に比べて作業性が著しく向上する。また、成端箱１１とハブボックス１２は、収納ケース９内に整然と区画収納されているので、収納構造の軽量小型化及びコンパクト化が図られる。
【００２３】
さらに、成端箱１１に商用電源のケーブル１７を取り込んだことにより、分電盤が実質的に不要になり、その分だけサーバールーム１内の省スペース化が促進される。尚、成端箱１１とハブボックス１２は、空調機から離れたワークデスク２の側方に配置されている。したがって、ワークデスク２の側方は壁面上部に比べて、空調機による対流の影響が小さく塵埃が少ないので、従来のように成端箱１１、ハブボックス１２に塵埃が侵入し付着するおそれがない。また、各種静電気放電体を設けたことにより静電気放電を原因とする電子機器等の誤作動を防止することができる。
【００２４】
尚、本発明は上記実施例に限定されず、種々の応用変形が可能である。例えば、上記実施例では、サーバールームにおける静電気防止対策を示したが、上記各静電気放電体は、エレベータースイッチ、各種キー装置、磁気カードやＩＣカードのリーダーライター等に装備することも可能である。
【００２５】
【発明の効果】
本発明は、以上のように構成したので、光通信ケーブル等の配線やメンテナンスを容易に行うことができと共に省スペース化を図り、尚且つ静電気放電を原因とする電子機器等の誤作動防止対策に広く利用できるという優れた効果がある。
【図面の簡単な説明】
【図１】本発明に係る静電気対策機器としてのワークデスクを説明する全体構成図である。
【図２】図１の収納ケースを説明する要部構造図である。
【図３】本発明に係るサーバールームの一実施例を示す平面図である。
【符号の説明】
１　　サーバールーム
２　　ワークデスク（机）
２ａ　天板
２ｂ　メッシュカバー
２ｃ　デスクプレート
３　　ゴムマット
４　　クライアントパソコン
５　　ハブ
６　　光ファイバー
７　　サーバーパソコン
９　　収納ケース
１０　光通信ケーブル（幹線ケーブル）
１１　成端箱
１２　ハブボックス
１３　開閉扉
１４　開閉扉
１５　タッチパネル
１６　配線盤
１７　マウスパッド
１８　ワークステーション
１９　ブラシ
２０　カーペット
２１　電流計（知覚手段）
【図１】
2004055176.tif 000003
【図２】
2004055176.tif 000004
【図３】
2004055176.tif 000005